(57)【要約】      （修正有）【課題】手球を所定の方向に力強く撞くことができ、シャフトを長期間使用することができ、長時間使用しても異音を発生することがないビリヤードキューを提供する。【解決手段】ビリヤードキューは、木材のシャフト１に断面が円形の中空穴１Ａを先端部から後端部までに貫通して設け、シャフト１の中空穴１Ａに、先端部から、成形と接着を同時に施工して一体成形した断面円形で中空のグラスファイバー強化プラスチック２Ａと断面円形で中空のカーボンファイバー強化プラスチック３と断面円形で中空のグラスファイバー強化プラスチック２Ｂを設け、この一体成形した素材の中空の中に、１本の断面円形の発泡ポリエチレンから成る緩衝材４を収納した木材のシャフト１と、木材のバットとを着脱自在具で止着した。【選択図】図３
0003235134.tif 000002
【実用新案登録請求の範囲】
【請求項１】
円柱状で先細形にした木材のシャフトに断面が円形の中空穴を先端部から後端部までに貫通して設け、該シャフトの中空穴に、先端部から、成形と接着を同時に施工して一体成形した断面円形で中空の短いグラスファイバー強化プラスチックと断面円形で中空の長いカーボンファイバー強化プラスチックと断面円形で中空の長いグラスファイバー強化プラスチックを設け、この一体成形した素材の中空の中に、１本の断面円形の発泡ポリエチレンから成る長い緩衝材を収納した木材のシャフトと、木材のバットとを着脱自在具で止着したことを特徴とするビリヤードキュー。
【請求項２】
円柱状で先細形にした木材のシャフトに断面が円形の中空穴を先端部から後端部までに貫通して設け、該シャフトの中空穴に、先端部から、成形と接着を同時に施工して一体成形した断面円形で中空の長いグラスファイバー強化プラスチックと断面円形で中空の長いカーボンファイバー強化プラスチックと断面円形で中空の短いグラスファイバー強化プラスチックを設け、この一体成形した素材の中空の中に、１本の断面円形の発泡ポリエチレンから成る長い緩衝材を収納した木材のシャフトと、木材のバットとを着脱自在具で止着したことを特徴とするビリヤードキュー。
【請求項３】
円柱状で先細形にした木材のシャフトに断面が円形の中空穴を先端部から後端部までに貫通して設け、該シャフトの中空穴に、中央部に断面円形で中空の長いカーボンファイバー強化プラスチックとその両端にそれぞれ断面円形で中空の短いグラスファイバー強化プラスチックを成形と接着を同時に施工して一体成形した素材を設け、この一体成形した素材の中空の中に、１本の断面円形の発泡ポリエチレンから成る長い緩衝材を収納した木材のシャフトと、木材のバットとを着脱自在具で止着したことを特徴とするビリヤードキュー。
【考案の詳細な説明】
【技術分野】
【０００１】  本考案は、シャフトとバットから成るビリヤードキューに関わるものである。
特に、球を撞いた時のシャフトのしなりのコントロール性が良く、また、長時間使用しても内部構造が壊れることがなく、外部に異音を発することがない構造を有するビリヤードキューに関わるものである。
【背景技術】
【０００２】  従来のビリヤードキューは、シャフトの中空部の長手方向に、断面扇形（パイ形）に切断した柱状木材を６個挿入したものがある（下記特許文献１：特表平１１−５０２４２８号公報参照）。【０００３】  しかしながら、この特表平１１−５０２４２８号公報記載のビリヤードキューのシャフトでは、シャフトの先端で手球を撞く時に、シャフトをしならせ、コントロールすることがやや困難であるため、手球を所定の方向に力強く撞くことが困難であるという問題点があった。
【先行技術文献】
【特許文献】
【０００４】
【特許文献１】特表平１１−５０２４２８号公報
【考案の概要】
【考案が解決しようとする課題】
【０００５】  前記の問題点を解消することが課題であり、シャフトの先端で手球を撞く時に、手球が所定の方向に所定の力で撞くことができるようにした考案である。
また、長時間使用しても内部構造が壊れることがなく、外部に異音を発することがない構造を有するビリヤードキューの考案である。
【課題を解決するための手段】
【０００６】  本考案は、強度及びしなりの効果が異なる二つの素材、即ち、断面円形で中空のグラスファイバー強化プラスチックと断面円形で中空のカーボンファイバー強化プラスチックに着目し、カーボンファイバー強化プラスチックの両端にグラスファイバー強化プラスチックを配置し、それらを成形と接着を同時に施工して一体成形した素材の中空の中に、１本の断面円形の発泡ポリエチレンから成る長い緩衝材を収納した芯材を用いた木材のシャフトとすることにより、本考案を完成させるに至った。【０００７】  本考案は、以下の（１）〜（３）に記載のビリヤードキューの考案を要旨とする。
（１）円柱状で先細形にした木材のシャフトに断面が円形の中空穴を先端部から後端部ま  でに貫通して設け、該シャフトの中空穴に、先端部から、成形と接着を同時に施工して  一体成形した断面円形で中空の短いグラスファイバー強化プラスチックと断面円形で中  空の長いカーボンファイバー強化プラスチックと断面円形で中空の長いグラスファイバ  ー強化プラスチックを設け、この一体成形した素材の中空の中に、１本の断面円形の発  泡ポリエチレンから成る長い緩衝材を収納した木材のシャフトと、木材のバットとを着  脱自在具で止着したことを特徴とするビリヤードキュー。
（２）円柱状で先細形にした木材のシャフトに断面が円形の中空穴を先端部から後端部ま  でに貫通して設け、該シャフトの中空穴に、先端部から、成形と接着を同時に施工して  一体成形した断面円形で中空の長いグラスファイバー強化プラスチックと断面円形で中  空の長いカーボンファイバー強化プラスチックと断面円形で中空の短いグラスファイバ  ー強化プラスチックを設け、この一体成形した素材の中空の中に、１本の断面円形の発  泡ポリエチレンから成る長い緩衝材を収納した木材のシャフトと、木材のバットとを着  脱自在具で止着したことを特徴とするビリヤードキュー。
（３）円柱状で先細形にした木材のシャフトに断面が円形の中空穴を先端部から後端部ま  でに貫通して設け、該シャフトの中空穴に、中央部に断面円形で中空の長いカーボンフ  ァイバー強化プラスチックとその両端にそれぞれ断面円形で中空の短いグラスファイバ  ー強化プラスチックを成形と接着を同時に施工して一体成形した素材を設け、この一体  成形した素材の中空の中に、１本の断面円形の発泡ポリエチレンから成る長い緩衝材を  収納した木材のシャフトと、木材のバットとを着脱自在具で止着したことを特徴とする  ビリヤードキュー。
【考案の効果】
【０００８】  上記（１）に記載の本考案の請求項１に該当するビリヤードキューは、木材のシャフトの芯材として、「成形と接着を同時に施工して一体成形した短いグラスファイバー強化プラスチックと長いカーボンファイバー強化プラスチックと長いグラスファイバー強化プラスチックを設け、この一体成形した素材の中空の中に、発泡ポリエチレンから成る長い緩衝材を収納した」木材のシャフトを特徴としている。
木材のシャフトの先端部から、断面円形の発泡ポリエチレンから成る長い緩衝材を収納してあるため、使用時にシャフトの木材部に与える衝撃を和らげて、シャフトの木材部の損傷を防ぎ、ビリヤードキューを長期間安定して使用することができるという効果がある。
更に、この木材のシャフトでは、芯材素材のカーボンファイバー強化プラスチックとその両端のグラスファイバー強化プラスチックとが成形と接着を同時に施工して一体成形されているために強固にすることができるとともに、この一体成形した素材の中空の中に、断面円形の発泡ポリエチレンから成る長い緩衝材を設けてあるために音が吸収されるので、ビリヤードキューを長時間使用しても、外部に異音を発生しないという効果がある。【０００９】  そして、手球を撞いた時、最初にビリヤードキューが手球に影響を与えるのは、先端部の一体成形した断面円形で中空の短いグラスファイバー強化プラスチックであるが、グラスファイバー強化プラスチックは、カーボンファイバー強化プラスチックより強度が小さいために、木材のシャフトに与える衝撃を小さくすることができる。したがって、ビリヤードのプロや上級者は、軽くシャフトを短時間安定した状態で、最初はやや小さい力で手球を撞くことができる。
更に、プロや上級者などは、強度がやや大きい長いカーボンファイバー強化プラスチックの特性を利用して、大きな力で手球を撞くことにより、シャフトは大きくしなり、その反発力の元に戻ろうとする強く押し出す力が手球に加わるために、ビリヤードキューを撞いた時の腕で押し出す力との双方の合体した大きな力で手球を強く撞くことができる（図７参照）。
そして、ビリヤードの初級者は、初めのうちは、手球を狙った方向に上手に撞くことができないために、シャフトのしなりを利用して、手球を予定した方向にカーブさせることができないが、次第に手球を予定した方向に曲げるように手球を撞くことができるようになる。この際、シャフトには発泡ポリエチレンから成る長い緩衝材を収納してあるため、初級者などが木材のシャフトを損傷させることを防止することができる。【００１０】  上記（２）に記載の本件の請求項２に該当するビリヤードキューは、木材のシャフトの芯材として、「成形と接着を同時に施工して一体成形した長いグラスファイバー強化プラスチックと長いカーボンファイバー強化プラスチックと短いグラスファイバー強化プラスチックを設け、この一体成形した素材の中空の中に、発泡ポリエチレンから成る長い緩衝材を収納した」木材のシャフトを特徴としている。
この、シャフトでも先端部から、断面円形の発泡ポリエチレンから成る長い緩衝材を収納してあるため、使用時にシャフトの木材部に与える衝撃を和らげて、シャフトの木材部の損傷を防ぐ効果は、前記１（請求項１に該当）と同様であるので、ビリヤードキューを長期間安定して使用することができる。
更に、この木材のシャフトでは、芯材素材のカーボンファイバー強化プラスチックとその両端のグラスファイバー強化プラスチックとが成形と接着を同時に施工して一体成形されているために強固にすることができるとともに、この一体成形した素材の中空の中に、断面円形の発泡ポリエチレンから成る長い緩衝材を設けてあるために音が吸収されるので、ビリヤードキューを長時間使用しても、外部に異音を発生しないという効果も、前記１（請求項１に対応）と同様であるので、ビリヤードキューを長期間安定して使用することができる。【００１１】  シャフトがしなることによって、手球を大きく方向変更させることができる。
手球を撞いた時、最初にビリヤードキューが手球に影響を与えるのは、先端部の接着を同時に施工して一体成形した断面円形で中空の長いグラスファイバー強化プラスチックであるが、グラスファイバー強化プラスチックは、カーボンファイバー強化プラスチックより強度が小さいために、木材のシャフトに与える衝撃は前記（１）の場合よりさらに小さくなり、しなりはより大きくなるので、ビリヤードの初級者はビリヤードキューをやや軽く小さい力で手球を正確に撞くことができるし、手球を大きく方向変更させることができる。
そして、初級者は長いカーボンファイバー強化プラスチックの特性を利用するまでの練習をしていないために、大きな力で長いカーボンファイバー強化プラスチックを利用することができないが、練習をしていくと、次第に利用できるようになるので、手球を撞くことにより、シャフトは次第にしなりが大きくなるために、その反発力の元に戻ろうとする強く押し出す力が手球に加わるので、ビリヤードキューを撞いた時の腕で押し出す力との双方の合体した大きな力で手球を強く撞くことができるようになる（図７参照）。
次に、ビリヤードのプロや上級者などは、強度がやや大きい長いカーボンファイバー強化プラスチックの特性を利用して、大きな力で手球を正確に撞くことにより、手球にカーブする方向の力と強く押し出す力が加わるために、双方の合体した大きな力で手球を強く撞くことができる（図７参照）。
また、ビリヤードの初級者は、初めのうちは、手球を上手に狙った方向に撞くことができないために、手球を予定した方向にカーブさせることができないが、練習することにより、次第に手球を予定した方向に曲げるように強く撞くことができるようになる。【００１２】  上記（３）に記載の本件の請求項３に該当するビリヤードキューは、木材のシャフトの芯材として、「中央部に長いカーボンファイバー強化プラスチックとその両端（前後）にそれぞれ短いグラスファイバー強化プラスチックを配置した、成形と接着を同時に施工して一体成形した素材を設け、この一体成形した素材の中空の中に、発泡ポリエチレンから成る長い緩衝材を収納した」木材のシャフトを特徴としている。
このシャフトでも先端部から、断面円形の発泡ポリエチレンから成る長い緩衝材を収納してあるため、使用時にシャフトの木材部に与える衝撃を和らげて、シャフトの木材部の損傷を防ぐ効果と外部に異音を発生しないという効果と芯材の素材が一体成形されているために強固にすることができる効果も、前記（１）（請求項１に該当）および（２）（請求項２に該当）と同様であるので、ビリヤードキューを長期間安定して使用することができる。
中央部の長いカーボンファイバー強化プラスチックの両端（前後）に配置された短いグラスファイバー強化プラスチックの長さは、前記（１）での長さと、前記（２）での長さの中間の長さにすれば、強度やしなりの大きさを、前記（１）と、前記（２）の中間の大きさに調整できるので、手球を曲げるように撞く力や効果を調整できる。
このように、この（３）に記載の本件の請求項３に該当するビリヤードキューは、ビリヤードキューを長期間安定して使用することができるし、最初はやや小さい力で手球を撞くことができるし、手球を撞く時間もやや長くすることができるために、ビリヤードの初級者でも容易に手球をやや上手に撞くことができる。【００１３】  以上のように、本考案のビリヤードキューは、芯材素材のグラスファイバー強化プラスチックの長さを調節することで、ビリヤードの初級者、プロ、上級者それぞれの経験、技術、好みの合うようにコントロールできるという効果がある。
そのうえ、シャフトの先端部から、断面円形の発泡ポリエチレンから成る長い緩衝材を収納してあるため、使用時にシャフトの木材部に与える衝撃を和らげて、シャフトの木材部の損傷を防ぐので、ビリヤードキューを長期間安定して使用することができる効果があり、併せて、シャフトの、芯材素材のカーボンファイバー強化プラスチックとその両端のグラスファイバー強化プラスチックとが成形と接着を同時に施工して一体成形されているために強固にすることができるとともに、この一体成形した素材の中空の中に、断面円形の発泡ポリエチレンから成る長い緩衝材を設けてあるために音が吸収されるので、ビリヤードキューを長時間使用しても、外部に異音を発生しないという効果がある。【００１４】  本考案で用いる、シャフトの木材としては、通常シャフトに用いられる木材（例えば、メイプル、黒檀、ローズウッドなど）のいずれも用いられる。【００１５】  本考案で用いる緩衝材は、発泡ポリエチレンが良い。【００１６】  ここで、「成形と接着を同時に施工して一体成形したもの」とは、従来のように、パイプ状に成形済みの各強化プラスチック（完成品）の各端面を後から接着剤で接着したものではなく、成形工程と接着工程を同時に施工し一体化したものである。
例えば、「断面円形で中空の、中央部のカーボンファイバー強化プラスチックとその両端のグラスファイバー強化プラスチックのそれぞれの端部を接着剤で接着し、かつ、この素材の外側周囲に、接着剤を片面又は両面に塗布した合成樹脂フィルムを巻き付けるとともに、さらにその外側に接着剤を塗布した細い糸を連続的に螺旋状に巻き付けて固定成形したもの」（図６参照）や、「グラスファイバーとカーボンファイバーのそれぞれを熱硬化性樹脂に含侵させたプリプレグシートを、所望の幅と配置で金型に巻き付け、同時に接着剤を施し、熱硬化させてパイプ状に成形したもの」などが挙げられるが、これらに限定されるものではない。
成形と接着を同時に施工した一体成形による強度の高い芯材素材を使用することにより、シャフトの硬さやテーパーの細さにおいて自由度が高くなるという利点が得られた。
従来のような、成形済みの各強化プラスチック（成形品）の各端面を後から接着剤で接着した芯材素材では、シャフトにしなりが生じた際等に接着部分に亀裂が入り不具合が発生する頻度が高かったが、本考案の成形と接着を同時に施工して一体成形した芯材素材では、強度が向上するので、不具合がほぼ発生しなくなった。
現在のユーザーからは、シャフトのテーパーは細いものが好まれる傾向があるが、本考案では、成形と接着を同時に施工して一体成形した強度の高い新素材によって芯材を細くできるので、今までよりも細いテーパーのシャフトを製造出来るようになり、しかも細くしたことでより多くのしなりが生じても不具合が発生しにくいという利点を得られた。
そして、円柱状で先細形にした木材のシャフトに設ける中空穴の直径が、シャフトの最細部の直径のほぼ２／３である構成のシャフトとすることが出来る。【００１７】  シャフト使用時の「しなり」について説明すると、「しなり」は、ビリヤードキューで手球を撞いた時に、発生する。そして、シャフトがしなることによって、手球を大きく方向変更させることができる。
本考案での「グラスファイバー強化プラスチック」と「カーボンファイバー強化プラスチック」のしなり方を比較すると、グラスファイバー強化プラスチックの方が柔らかくてしなり易い。
ただし、シャフト全体では、「グラスファイバー強化プラスチックの長さと位置」「カーボンファイバー強化プラスチックの長さと位置」「シャフトテーパーの細さ」などが、色々組み合わさることによって、得られるしなりの性能は様々になる。
そして、シャフト全体の傾向としては、カーボンファイバー強化プラスチックが長くなれば硬くなりしなりづらくなり、カーボンファイバー強化プラスチックが短くなりシャフトテーパーが細くなればしなりは大きくなる。
ここで、しなりを利用した「手球の曲げ」の一例を図７にそって説明する。
例えば、手球３１をその中心線３２より左側方向に曲げるためには、シャフトのグラスファイバー強化プラスチックとそれより強度がやや大きい長いカーボンファイバー強化プラスチックの性質を利用して、図７に図示したように、やや大きい力でシャフトで手球３１の中心３３を通る中心線３２より右側の位置（撞点３４Ａ）で手球を撞くと、シャフトの先端部は右方向にしなりながら手球を左側方向に曲げることができる。この場合、図７に図示したように、シャフトは大きくしなりながら（３５）、手球に斜め左側方向に押し出す力を発生するので、手球にはこの斜め左側方向に押し出す力とビリヤードキューを撞いた時の腕の力が合体して、大きな力で、手球を曲げながら強く撞くことができる。
なお、図７は、シャフト使用時のしなりによる力のベクトルの説明図で、図中の手球とシャフトの相対的な大きさは実物の場合とは異なっている。
【図面の簡単な説明】
【００１８】
【図１】  ビリヤードキューの平面図である。
【図２】  本考案のシャフトの各所拡大横断面図である。
【図３】  本考案の実施例１の主要部拡大縦断面図である。
【図４】  本考案の実施例２の主要部拡大縦断面図である。
【図５】  本考案の実施例３の主要部拡大縦断面図である。
【図６】  本考案を改良した芯材部拡大縦断面図である。
【図７】  本考案のシャフト使用時の説明図である。
【考案を実施するための形態】
【００１９】  ビリヤードキューを長期間安定した状態で使用するという目的を簡単な構成にして手玉を大きな力で強く撞くことができることを実現した。
なお、下記の実施例の内容により本考案の技術的範囲が限定されるものではない。
【実施例１】
【００２０】    図１、図２、図３に図示したように、ビリヤードキュー６は木材のシャフト１と木材  のバット５からなり、円柱状で先細形にした木材のシャフト１に断面が円形の中空穴１  Ａを先端部から後端部までに貫通して設ける。
このシャフトの中空穴に、先端部から、成形と接着を同時に施工して一体成形した断  面円形で中空の短いグラスファイバー強化プラスチック２Ａと断面円形で中空の長いカ  ーボンファイバー強化プラスチック３と断面円形で中空の長いグラスファイバー強化プ  ラスチック２Ｂを設ける。
この一体成形した素材の中空の中に、１本の断面円形の発泡ポリエチレンから成る長  い緩衝材４を収納した木材のシャフトと、木材のバット５とを着脱自在具で止着したビ  リヤードキュー６である。
【実施例２】
【００２１】    図４に図示したように、円柱状で先細形にした木材のシャフト１１に断面が円形の中空穴１１Ａを先端部から後端部までに貫通して設ける。
このシャフトの中空穴に、先端部から、成形と接着を同時に施工して一体成形した断面円形で中空の長いグラスファイバー強化プラスチック１２Ａと断面円形で中空の長いカーボンファイバー強化プラスチック１３と断面円形で中空の短いグラスファイバー強化プラスチック１２Ｂを設ける。
この一体成形した素材の中空の中に、１本の断面円形の発泡ポリエチレンから成る長い緩衝材１４を収納した木材のシャフトと、木材のバットとを着脱自在具で止着したビリヤードキューである。
【実施例３】
【００２２】    図５に図示したように、円柱状で先細形にした木材のシャフト２１に断面が円形の中空穴２１Ａを先端部から後端部までに貫通して設ける。
このシャフトの中空穴に、中央部に断面円形で中空の長いカーボンファイバー強化プラスチック２２とその両端にそれぞれ断面円形で中空の短いグラスファイバー強化プラスチック２１Ｂを成形と接着を同時に施工して一体成形した素材を設ける。
この一体成形した素材の中空の中に、１本の断面円形の発泡ポリエチレンから成る長い緩衝材２４を収納した木材のシャフトと、木材のバットとを着脱自在具で止着したビリヤードキューである。
なお、成形と接着を同時に施工して一体成形した素材として、例えば、断面円形で中空の、中央部のカーボンファイバー強化プラスチックとその両端のグラスファイバー強化プラスチックそれぞれの端部とを接着剤で接着し、かつ、この素材の外側に、接着剤を片面又は両面に塗布した合成樹脂フィルム２８を巻き付けて設け、この巻き付けた合成樹脂フィルムの外側に、接着剤を塗布した細い糸２９（例えば、強い釣り糸）を連続的に螺旋状に巻き付けたものを用いると、ビリヤードキューは補強されるので良い（図６参照）。
【産業上の利用可能性】
【００２３】  本考案は、強度及びしなりの効果が異なる二つの素材、即ち、グラスファイバー強化プラスチックとカーボンファイバー強化プラスチックに着目し、カーボンファイバー強化プラスチックの両端にグラスファイバー強化プラスチックを配置し、それらを成形と接着を同時に施工して一体成形した素材の中空の中に、発泡ポリエチレンから成る緩衝材を収納した芯材をを収納した木材のシャフトを特徴とするので、ビリヤードキューを長期間安定して使用することができ、しかも、ビリヤードキューを長時間使用しても、外部に異音を発生しないという効果を有するビリヤードキューを提供できるので、産業上の利用可能性は大きい。
さらに、本発明は、ビリヤードキューの芯材のグラスファイバー強化プラスチックの長さ等を調節することで、ビリヤードの初級者、プロ、上級者それぞれの経験、技術、好みに合うようなビリヤードキューを提供できるので、産業上の利用可能性は大きい。
【符号の説明】
【００２４】１，１１，２１          木材のシャフト
５                      木材のバット
６                      ビリヤードキュー（全体）
１Ａ，１１Ａ，２１Ａ    木材のシャフトの中空穴
２Ａ，１２Ｂ，２１Ｂ    中空の短いグラスファイバー強化プラスチック
２Ｂ，１２Ａ            中空の長いグラスファイバー強化プラスチック
３，１３，２２          中空の長いカーボンファイバー強化プラスチック
４，１４，２４          断面円形の長い発泡合成樹脂の緩衝材
２８                    合成樹脂フィルム
２９                    接着剤を塗布した細い糸
３１                    手球
３２                    手球の中心を通る線
３３                    手球の中心
３４Ａ                  手球を撞いた時の撞点
３５                    シャフトのしなり（イメージ図）
３６                    手球を撞いた時の力のベクトル
【図１】
0003235134.tif 000003
【図２】
0003235134.tif 000004
【図３】
0003235134.tif 000005
【図４】
0003235134.tif 000006
【図５】
0003235134.tif 000007
【図６】
0003235134.tif 000008
【図７】
0003235134.tif 000009